(57)【要約】【課題】同一のタイルが無い場合や壁画タイル等、貼り替えができない場所の補修に最適で、補修工事を確実にしかも短期間で終わらせることのできる、建物仕上材の浮き部補修工法および装置を提供する。【解決手段】建物の躯体１表面に貼付施工された仕上材３の複数の浮き部６に外部から接着剤１４を注入して接着補修する工法であって、複数の浮き部６のそれぞれに上部吸引孔７および下部注入孔８を目地４位置に穿孔し、各下部注入孔８に接着剤１４入りの注入器１２をセットすると共に、各上部吸引孔７に真空ポンプ１８に接続された吸引パイプ１１をセットし、複数の浮き部６の各下部注入孔８に注入器１２内の接着剤１４を一度にまたは順に低圧注入すると共に、真空ポンプ１８を作動して複数の浮き部６の各上部吸引孔７から空気を吸引して各浮き部６を負圧にし、注入した接着剤１４を各浮き部６に一斉に行き渡らせる。【選択図】図３
2011001786.tif 000002
【特許請求の範囲】
【請求項１】
建物の躯体表面に貼付施工された仕上材の複数の浮き部に外部から接着剤を注入して接着補修する工法であって、複数の浮き部のそれぞれに上部吸引孔および下部注入孔を目地位置に穿孔し、各下部注入孔に接着剤入りの注入器をセットすると共に、各上部吸引孔に真空ポンプに接続された吸引パイプをセットし、複数の浮き部の各下部注入孔に注入器内の接着剤を一度にまたは順に低圧注入すると共に、真空ポンプを作動して複数の浮き部の各上部吸引孔から空気を吸引して各浮き部を負圧にし、注入した接着剤を各浮き部に一斉に行き渡らせることを特徴とする建物仕上材の浮き部補修工法。
【請求項２】
接着剤の注入圧力が０．０１〜０．３ＭＰａの低圧であることを特徴とする請求項１記載の建物仕上材の浮き部補修工法。
【請求項３】
真空ポンプによる吸引圧力が−０．０１〜−０．７ＭＰａの負圧であることを特徴とする請求項１又は請求項２に記載の建物仕上材の浮き部補修工法。
【請求項４】
複数の浮き部のそれぞれに目地位置に穿孔された上部吸引孔および下部注入孔に対し座金を介してセットされる複数の吸引パイプおよび接着剤入りの複数の注入器と、それら複数の吸引パイプに接続された真空ポンプとを有することを特徴とする建物仕上材の浮き部補修装置。
【請求項５】
前記注入器が、接着剤入りのシリンダと、シリンダ内の接着剤を低圧で押し出す低圧ピストンと、低圧ピストンを後方待機位置に停止させるストッパーと、低圧ピストンの加圧力を調整する加圧ゴムリングとから構成されていることを特徴とする請求項４に記載の建物仕上材の浮き補修装置。
【発明の詳細な説明】
【技術分野】
【０００１】
本発明は、建物の躯体表面に施工されたタイル等の仕上材の浮き部に接着剤を注入して剥離・剥落を防止するようにした、建物仕上材の浮き部補修工法と装置に関するものである。
【背景技術】
【０００２】
建物の外壁タイルに浮き部が生じた場合、その補修工法としては、（１）浮き部のあるタイルを撤去し、撤去した部分に同じようなタイルを設ける、（２）浮き部のある位置に穿孔し、そこから接着剤をポンプで注入する、（３）浮き部のある位置に穿孔し、そこから接着剤をポンプで注入し、アンカーピンを挿入する、等の工法が知られている。
【０００３】
例えば、特開２００２−３３９５７８号公報には、仕上げ層とコンクリート躯体との隙間に接着剤を注入すると共に、仕上げ層の外表面に保護材をアンカーによって固定する例が開示されている。
【先行技術文献】
【特許文献】
【０００４】
【特許文献１】特開２００２−３３９５７８号公報
【発明の概要】
【発明が解決しようとする課題】
【０００５】
しかしながら、（１）の工法は、建物を建ててから長期経過後の補修時期においては、撤去した部分のタイルと同一タイルを用意すること、色合わせすること、形状を合わせること等は実際難しく、建物外壁の美粧性を著しく低下させる問題がある。特に壁画タイルの場合、タイルの張り替えが事実上できない。（２）の工法は接着剤（エポキシ樹脂等）を高圧で注入することによる浮き部を拡大させる問題がある。（３）の工法はアンカーピンによる補強効果が得られるがアンカーピン用の孔を躯体および仕上材に穿孔するため意匠上的な問題がある。
【０００６】
本発明は、以上の事情に鑑みてなされたもので、建物の躯体表面に施工された仕上材の複数の浮き部に無傷で接着剤を一斉に注入して剥離・剥落を防止することができ、同一のタイルが無い場合や壁画タイル等、貼り替えができない場所の補修に最適で、補修工事を確実にしかも短期間で終わらせることのできる、建物仕上材の浮き部補修工法および装置を提供することを目的とする。
【課題を解決するための手段】
【０００７】
上記課題を解決するために、本発明に係る建物仕上材の浮き部補修工法は、建物の躯体表面に貼付施工された仕上材の複数の浮き部に外部から接着剤を注入して接着補修する工法であって、複数の浮き部のそれぞれに上部吸引孔および下部注入孔を目地位置に穿孔し、各下部注入孔に接着剤入りの注入器をセットすると共に、各上部吸引孔に真空ポンプに接続された吸引パイプをセットし、複数の浮き部の各下部注入孔に注入器内の接着剤を一度にまたは順に低圧注入すると共に、真空ポンプを作動して複数の浮き部の各上部吸引孔から空気を吸引して各浮き部を負圧にし、注入した接着剤を各浮き部に一斉に行き渡らせることを第１の特徴とする。
【０００８】
本発明は、下部注入孔にセットした注入器から接着剤を浮き部内に低圧注入すると同時に上部吸引孔から真空ポンプにより浮き部内を真空吸引することで接着剤を各浮き部内に無傷で確実に行き渡らせて接着補修するものであり、同一のタイルが無い場合や壁画タイル等、貼り替えができない場所の補修に最適である。
【０００９】
複数の浮き部に対し、注入器内の接着剤を一度にまたは順に低圧注入すると共に、真空ポンプにより注入した接着剤を複数の各浮き部内に一斉に充填させるから、複数の浮き部の補修工事を同時並行で進めることができ、補修工事を短期間で終わらせることができる。
【００１０】
本発明に係る建物仕上材の浮き部補修工法は、接着剤の注入圧力が０．０１〜０．３ＭＰａの低圧であることを第２の特徴とする。
【００１１】
接着剤を０．０１〜０．３ＭＰａの低圧で注入することにより、高圧注入時に生じる浮き部の拡大やタイル等の剥離を防ぐことができる。０．０１ＭＰａ未満であれば浮き部内に確実に注入するのは難しく、０．３ＭＰａを超えると浮き部拡大やタイル等剥離のおそれがある。
【００１２】
本発明に係る建物仕上材の浮き部補修工法は、真空ポンプによる吸引圧力が−０．０１〜−０．７ＭＰａであることを第３の特徴とする。
【００１３】
浮き部内の空気を−０．０１〜−０．７ＭＰａの負圧で吸引することにより、浮き部内に低圧注入した接着剤を速やかに仕上材裏面の凹凸部を通して浮き部内全面に行き渡らせることができる。−０．０１ＭＰａを下回ると吸引力が不足し、接着剤を速やかに浮き部全面に行き渡らせることが難しく、負圧が−０．７ＭＰａもあれば低圧注入した接着剤を仕上材裏面の浮き部全体に行き渡らせるには十分である。
【００１４】
本発明に係る建物仕上材の浮き部補修装置は、複数の浮き部のそれぞれに目地位置に穿孔された上部吸引孔および下部注入孔に対し座金を介してセットされる複数の吸引パイプおよび接着剤入りの複数の注入器と、それら複数の吸引パイプに接続された真空ポンプとを有することを第１の特徴とする。
【００１５】
本発明に係る建物仕上材の浮き部補修装置は、前記注入器が、接着剤入りのシリンダと、シリンダ内の接着剤を低圧で押し出す低圧ピストンと、低圧ピストンを後方待機位置に停止させるストッパーと、低圧ピストンの加圧力を調整する加圧ゴムリングとから構成されていることを第２の特徴とする。
【００１６】
本発明に係る建物仕上材の浮き部補修装置は、前記複数の吸引パイプが同時に接続される合流部を有し、この合流部が真空ポンプの吸引側配管に接続されていることを第３の特徴とする。
【発明の効果】
【００１７】
以上説明したように、本発明に係る補修工法によれば、建物表面に施工された仕上材の施工面に生じた複数の浮き部に対し、下部からの接着剤の低圧注入と上部からの真空吸引により、接着剤をそれら複数の浮き部全面に一度に行き渡らせて硬化させることができ、このため、同一仕上材が在庫に無い場合や壁画タイル等の貼り替えの難しい箇所の補修に最適な工法を提供することができる。
【００１８】
しかも、本発明に係る補修工法によれば、建物の壁面全体あるいは広範囲に存在する複数の浮き部の補修工事を同時並行で進めることができ、補修工事を短期間で終わらせることができる。
【００１９】
さらに、本発明に係る補修装置によれば、装置の簡素化を図ることができ、装置の設置費用、施工費用を安く上げることができる。
【発明を実施するための最良の形態】
【００２０】
本発明を実施するための最良の形態について、図面を参照しながら説明する。図１ないし図５は本発明の一実施形態を示すもので、図中、符号１は建物の躯体、符号２は壁画タイル（仕上材）を示している。
【００２１】
まず、建物の躯体１表面の仕上構造について説明すると、図１に示すように、建物の躯体１表面には、モルタル２を介して複数の壁画タイル３が上下左右に目地４を残して貼付施工されている。壁画タイル３の裏面にはモルタル２との接着性を良好にするべく凹凸部５が形成されている。そして、本建物によれば、モルタル２の経年劣化等により、壁画タイル３の裏面に、複数の壁画タイル３に亘って上下方向あるいは左右方向に連続する隙間からなる浮き部６が生じている。この浮き部６は、壁画タイル２の施工面全体の複数箇所に生じている。図２に浮き部６の範囲を点線Ｋで示す。
【００２２】
かかる複数箇所の浮き部５に対し、本発明の工法を用いて補修を行う。補修手順は以下の通りである。
【００２３】
まず、図２を参照して、壁画タイル２の表面をハンマーや検査器具で打診し、浮き部６の範囲Ｋについて、その位置・幅・長さ等を確認する。そして、浮き部６の範囲Ｋに合わせて、上部吸引孔７の位置と下部注入孔８の位置を決め、マーキングする。
【００２４】
次ぎに、上部吸引孔７および下部注入孔８の位置に合わせて、目地４の上からドリル等により穿孔する。図２に上部吸引孔７と下部注入孔８の穿孔位置を示す。そして、図３に示すように、上部吸引孔７および下部注入孔８のそれぞれに座金９、１０を取り付ける。なお、符号１０Ａは座金１０を壁画タイル３，３に跨るように取付けるための接着シールである。
【００２５】
上部吸引孔７の座金９に対しては吸引ホース１１の一端を接続し、下部注入孔８の座金１０に対しては接着剤注入用の注入器１２をセットする。図４（Ａ）に示すように、注入器１２のシリンダ１３内には接着剤（エポキシ樹脂）１４が予め充填されており、加圧ゴム１５により作動する低圧ピストン１６がストッパー１７により後方待機位置に停止されている。これらシリンダ１３、加圧ゴム１５、低圧ピストン１６、ストッパー１７は注入器１２を構成する。
【００２６】
図３に戻り、各浮き部６の上部吸引孔７および下部注入孔８に吸引ホース１１および注入器１２をセットしたら、全ての吸引ホース１１の各他端を真空ポンプ１８側に接続する。具体的には、真空ポンプ１８には複数の吸引ホース１１の他端を同時に接続できる合流部１９が設けられ、この合流部１９の各取付口２０に各吸引ホース１１の他端を接続する。なお、真空ポンプ１８と合流部１９との間には負圧計２１が設けられている。
【００２７】
以上のようにして準備作業が完了したら、まず、図４（Ｂ）に示すように、全ての注入器１２の各シリンダ１３からストッパー１７を外して加圧ゴム１５の加圧により低圧ピストン１６を前進させ、内部の接着剤１４の注入を開始する。接着剤１４の注入圧力は加圧ゴム１５により低圧（約０．００５ＭＰａ（約０．０５ｋｇｆ／ｃｍ２））に保持されており、下部注入孔８から浮き部６内に低圧、低速でゆっくりと確実に注入される。
【００２８】
接着剤１４の注入と同時に、真空ポンプ１８を作動させ、図５に示すように、全ての吸引ホース１１を通して各上部吸引孔７から各浮き部６内の空気を一斉に吸引し、各浮き部６内を負圧状態にする。この時の真空ポンプ１８による吸引圧力は、接着剤１４の注入圧力に合わせて、約−０．０３〜−０．７ＭＰａに保持される。
【００２９】
各浮き部６内は負圧状態に保持されるので、下部注入孔８から注入された接着剤１４は、壁面タイル３の裏面の凹凸部５の隙間を通り上方へと流動し、一定時間をかけて各浮き部６の全面に行き渡る。
【００３０】
各浮き部６の全面に接着剤１４が確実に行き渡ったことを打診音や吸引パイプへの接着剤１４の流入で確認して、真空ポンプ１８を停止する。そして、各上部吸引孔７から全ての吸引ホース１１および座金９を撤去し、また、一定時間後（接着剤１４の硬化後）に各下部注入孔８から全ての注入器１２および座金１０、接着シール１０Ａを撤去する。
【００３１】
以上の手順により補修作業が完了し、その後一定期間養生させる。養生期間中に各浮き部６内に行き渡った接着剤１４が硬化して、壁画タイル３と接着する。
【００３２】
本実施形態によれば、建物の壁画タイル３に生じた複数の浮き部６に対し、接着剤注入用の注入器１２と負圧吸引用の真空ポンプ１８等を用いて、それぞれの浮き部６の全面に接着剤１４を確実に行き渡らせて浮き部６の壁画タイル３を接着補修することができる。
【００３３】
また広範囲に渡る複数の浮き部６に対して、１台（場合によっては複数台）の真空ポンプ１８によって一度に接着剤１４を注入充填して、複数の浮き部６の補修工事を同時並行で進めることができ、補修工事を短期間で終わらせることができる。
【００３４】
注入器１２のシリンダ１３は座金１０により下部注入孔８に容易に取付固定でき、低圧ピストン１６および加圧ゴム１５を用いて低圧注入することができる。注入圧力は加圧ゴム１５を変更して容易に調整できる。広範囲に渡る複数の浮き部６に対しても、少人数で接着剤入りの注入器１２を容易にセットできる。
【００３５】
本実施形態では、壁画タイルの補修例を説明したが、仕上材はこれに限らず、仕上材には壁面タイル、石板等が含まれる。
【産業上の利用可能性】
【００３６】
本発明に係る建物仕上材の浮き部補修工法と装置は、建物の躯体表面に施工された仕上材の浮き部に無傷で接着剤を注入して剥離・剥落を防止できる工法と装置として、利用可能である。
【図面の簡単な説明】
【００３７】
【図１】（Ａ）は建物の壁画タイルの施工状態を示す縦断面図、（Ｂ）はその水平断面図
【図２】建物の壁画タイルの施工状態を示す正面図、
【図３】本発明の工法に使用される補修装置を取り付けた様子を示す説明図、
【図４】本発明の工法に使用される接着剤用の注入器を示す説明図で、（Ａ）はその取付図、（Ｂ）はストッパーを外して接着剤を低圧注入する様子を示す説明図、
【図５】本発明の工法に従い壁画タイルの浮き部の補修を行う様子を示す説明図である。
【符号の説明】
【００３８】
１  建物の躯体
２  モルタル
３  壁画タイル
４  目地
５  凹凸部
６  浮き部
７  上部吸引孔
８  下部注入孔
９，１０  座金
１０Ａ  接着シール
１１  吸引ホース
１２  注入器
１３  シリンダ
１４  接着剤（エポキシ樹脂）
１５  加圧ゴム
１６  低圧ピストン
１７  ストッパー
１８  真空ポンプ
１９  合流部
２０  取付口
２１  負圧計
Ｋ  浮き部の範囲
【図１】
2011001786.tif 000003
【図２】
2011001786.tif 000004
【図３】
2011001786.tif 000005
【図４】
2011001786.tif 000006
【図５】
2011001786.tif 000007